(57)【要約】【課題】燃料タンクおよびエアクリーナの容量を確保することのできると共に、運転者の適切な搭乗姿勢を確保することができる鞍乗型車両を提供する。【解決手段】車両前部１ｆのヘッドパイプ５０から車両後方へ延びる左右一対のメインフレーム５１を備え、メインフレーム５１の下側にエンジンＥが配置され、メインフレーム５１の上側に燃料タンク６１が配置され、エンジンＥの上側で燃料タンク６１に接近してエアクリーナ１０が配置された鞍乗型車両１であって、エアクリーナ１０は、燃料タンク６１の前方側かつ一部が下方側に配置されており、左右一対のメインフレーム５１の間に配置される内側部１１と、左右一対のメインフレーム５１の車幅方向外側に張り出すように配置される外側部１２と、が繋げられている。【選択図】図３
2014097694.tif 000002
【特許請求の範囲】
【請求項１】
車両前部（１ｆ）のヘッドパイプ（５０）から車両後方へ延びる左右一対のメインフレーム（５１，５１）を備え、
前記メインフレーム（５１，５１）の下側にエンジン（Ｅ）が配置され、
前記メインフレーム（５１，５１）の上側に燃料タンク（６１）が配置され、
前記エンジン（Ｅ）の上側で前記燃料タンク（６１）に接近してエアクリーナ（１０）が配置された鞍乗型車両（１）であって、
前記エアクリーナ（１０）は、前記燃料タンク（６１）の前方側かつ一部が下方側に配置されており、前記左右一対のメインフレーム（５１，５１）の間に配置される内側部（１１）と、前記左右一対のメインフレーム（５１，５１）の車幅方向外側に張り出すように配置される外側部（１２）と、が繋げられていることを特徴とする鞍乗型車両（１）。
【請求項２】
前記外側部（１２）は、車両前方側の最先端部（１２ｆ）が前記内側部（１１）よりも車両前方側に張り出すように形成されていることを特徴とする請求項１に記載の鞍乗型車両（１）。
【請求項３】
前記エアクリーナ（１０）の前端部（１０ｆ）には、車両上面視で、車両後方に向かって窪む凹部（１０ｆｅ，１０ｆｅ）が車両左右方向に並んで一対形成され、
前記凹部（１０ｆｅ，１０ｆｅ）が前輪（Ｗｆ）を保持するフロントフォーク（６０）に対面するように配置されていることを特徴とする請求項１または２に記載の鞍乗型車両（１）。
【請求項４】
前記左右一対の外側部（１２，１２）の少なくとも一方には、エアクリーナエレメント（１５）が内蔵され、
前記エアクリーナエレメント（１５）を内蔵する前記外側部（１２）の車幅方向外側の外側壁部（１２Ｒａ）に吸気口（１４ａ）が設けられていることを特徴とする請求項１〜３の何れか一項に記載の鞍乗型車両（１）。
【請求項５】
前記吸気口（１４ａ）は、車両下方かつ前方に向かって開口していることを特徴とする請求項４に記載の鞍乗型車両（１）。
【請求項６】
前記エアクリーナ（１０）からスロットルボディ（３０）に吸気を送り込む吸気管（１６）が、前記内側部（１１）の内方に延びた内部挿入管部（１６ｆ）を有することを特徴とする請求項１〜５の何れか一項に記載の鞍乗型車両（１）。
【請求項７】
前記エアクリーナエレメント（１５）を内蔵する前記外側部（１２）の前記外側壁部（１２Ｒａ）が開閉可能に設けられていることを特徴とする請求項１〜６の何れか一項に記載の鞍乗型車両（１）。
【請求項８】
前記外側部（１２，１２）の少なくとも側方を覆うカウル部材（４０）が設けられ、
前記カウル部材（４０）には、前記エアクリーナエレメント（１５）を内蔵する前記外側部（１２）の前記外側壁部（１２Ｒａ）に対面するカウル側部（４０ａ）が開閉可能に設けられていることを特徴とする請求項７に記載の鞍乗型車両（１）。
【発明の詳細な説明】
【技術分野】
【０００１】
本発明は、鞍乗型車両に関し、特に、エアクリーナの容量の確保が可能な鞍乗型車両に関する。
【背景技術】
【０００２】
従来の鞍乗型車両としては、車体前部のヘッドパイプから後方に延びる左右一対のメインフレームの下側にエンジンが搭載され、メインフレームの上側に燃料タンクが配置されたものが知られている（例えば、特許文献１参照）。そして、この鞍乗型車両では、エアクリーナの吸気容量を確保しつつ吸気経路を短くするために、エアクリーナがエンジンの上方且つ燃料タンクの下方において左右一対のメインフレーム間に配置されている。
【先行技術文献】
【特許文献】
【０００３】
【特許文献１】特開２００６−２１３２５０号公報
【発明の概要】
【発明が解決しようとする課題】
【０００４】
ところで、上記特許文献１に記載の鞍乗型車両の場合、燃料タンクの容量を大きくするには、燃料タンクを車幅方向に拡大する必要があった。しかしながら、燃料タンクは運転者が搭乗するシートの前部の形状に大きく影響を及ぼすため、燃料タンクを車幅方向に拡大すると、運転者の適切な搭乗姿勢の妨げになる場合があった。また、エアクリーナが、エンジンの上方且つ燃料タンクの下方において左右一対のメインフレーム間に配置されているため、エアクリーナの容量を確保することが困難であった。
【０００５】
本発明は、前述した事情に鑑みてなされたものであり、その目的は、燃料タンクおよびエアクリーナの容量を確保することのできると共に、運転者の適切な搭乗姿勢を確保することができる鞍乗型車両を提供することにある。
【課題を解決するための手段】
【０００６】
上記目的を達成するために、請求項１に係る発明は、車両前部のヘッドパイプから車両後方へ延びる左右一対のメインフレームを備え、
前記メインフレームの下側にエンジンが配置され、
前記メインフレームの上側に燃料タンクが配置され、
前記エンジンの上側で前記燃料タンクに接近してエアクリーナが配置された鞍乗型車両であって、
前記エアクリーナは、前記燃料タンクの前方側かつ一部が下方側に配置されており、前記左右一対のメインフレームの間に配置される内側部と、前記左右一対のメインフレームの車幅方向外側に張り出すように配置される外側部と、が繋げられていることを特徴とする。
【０００７】
請求項２に係る発明は、請求項１に記載の構成に加えて、前記外側部は、車両前方側の最先端部が前記内側部よりも車両前方側に張り出すように形成されていることを特徴とする。
【０００８】
請求項３に係る発明は、請求項１または２に記載の構成に加えて、前記エアクリーナの前端部には、車両上面視で、車両後方に向かって窪む凹部が車両左右方向に並んで一対形成され、前記凹部が前輪を保持するフロントフォークに対面するように配置されていることを特徴とする。
【０００９】
請求項４に係る発明は、請求項１〜３の何れか一項に記載の構成に加えて、前記左右一対の外側部の少なくとも一方には、エアクリーナエレメントが内蔵され、
前記エアクリーナエレメントを内蔵する前記外側部の車幅方向外側の外側壁部に吸気口が設けられていることを特徴とする。
【００１０】
請求項５に係る発明は、請求項４に記載の構成に加えて、前記吸気口は、車両下方かつ前方に向かって開口していることを特徴とする。
【００１１】
請求項６に係る発明は、請求項１〜５の何れか一項に記載の構成に加えて、前記エアクリーナからスロットルボディに吸気を送り込む吸気管が、前記内側部の内方に延びた内部挿入管部を有することを特徴とする。
【００１２】
請求項７に係る発明は、請求項１〜６の何れか一項に記載の構成に加えて、前記エアクリーナエレメントを内蔵する前記外側部の前記外側壁部が開閉可能に設けられていることを特徴とする。
【００１３】
請求項８に係る発明は、請求項７に記載の構成に加えて、前記外側部の少なくとも側方を覆うカウル部材が設けられ、
前記カウル部材には、前記エアクリーナエレメントを内蔵する前記外側部の前記外側壁部に対面するカウル側部が開閉可能に設けられていることを特徴とする。
【発明の効果】
【００１４】
請求項１の発明によれば、エアクリーナは、その一部がメインフレームの外側に配置された構造であるので、車体構造上の制約が少なくエアクリーナ容量を大きくすることができ、更に、殆どの部位が燃料タンクの前方側に配置されているので、燃料タンクへの制約を少なくできて燃料タンク設置空間が確保し易い。したがって、エアクリーナの容量確保と燃料タンクの容量確保という、相反する課題を同時に解決することができる。
また、燃料タンク容量を確保するために燃料タンクを車両左右方向に大きくしなくてもよくなることから、燃料タンクの車両左右方向のスリム化に寄与でき、燃料タンク後部に連続配置される乗車シート上の運転者の搭乗姿勢の良化に寄与することができる。
【００１５】
請求項２の発明によれば、エアクリーナの外側部が内側部よりも車両前方側に張り出すように形成されることにより、車両前部の左右空間をより効果的に利用してエアクリーナの容積を更に確保することができ、また、燃料タンクの容量確保も更に容易になる。
【００１６】
請求項３の発明によれば、エアクリーナの前端部に、車両上面視で、車両後方に向かって窪む左右一対の凹部が形成されていることにより、エアクリーナは、この凹部によってフロントフォークに接近した状態で、車両前部寄りに配置できるので、エアクリーナの容量確保ができると共にエアクリーナ後方側に配置される燃料タンクの容量確保に寄与することができる。したがって、燃料タンクは、その容量が大きく設定されても車両左右方向に大きく張り出すような構造を必要とせずに左右方向にスリムで搭乗し易い構造にできて運転者の搭乗姿勢の良化に寄与できる。
【００１７】
請求項４の発明によれば、メインフレームの外側に配置された外側部にエアクリーナエレメントが設けられたことにより、エアクリーナエレメントへのアクセスがし易くなり、エアクリーナエレメントの交換やメンテナンス作業がし易い。また、外側部の車両外側の外側壁部に、吸気口が設けられたことにより、吸気口による周辺部品への構造的影響を少なくできる。
【００１８】
請求項５の発明によれば、吸気口が車両下方かつ前方に向かって開口していることにより、走行風を吸気口に取り込み易くでき、かつ雨水の浸入を防止することができる。
【００１９】
請求項６の発明によれば、吸気管が内側部の内方に挿入された内部挿入管部を有することで、内側部の空間を利用して吸気管を長く形成できるので、エンジンの低速トルクを向上させることができる。
【００２０】
請求項７の発明によれば、エアクリーナエレメントを内蔵する外側部において、車両幅方向の外側壁部が開閉可能に形成されているので、外側壁部の開閉によりエアクリーナエレメントに容易にアクセスでき、エアクリーナエレメントの交換やメンテナンス作業が容易にできる。
【００２１】
請求項８の発明によれば、カウル部材には、エアクリーナを内蔵する外側壁部に対面するカウル側部が開閉可能に設けられていることにより、カウル側部を解放することで、外側壁部を解放できてエアクリーナエレメントにアクセス可能となるので、カウル部材の全面的な取り外しや、燃料タンクの取り外しという面倒な作業をなくして、エアクリーナエレメントの交換やメンテナンス作業が容易にできる。
【図面の簡単な説明】
【００２２】
【図１】本発明に係るエアクリーナを備えた自動二輪車の右側面図である。
【図２】図１に示す自動二輪車における車体フレームとエンジンおよびエアクリーナを車両左側から見た側面図である。
【図３】図１に示す自動二輪車における車体フレームとエンジンおよびエアクリーナを車両上方から見た平面図である。
【図４】図１に示す自動二輪車に設けられたエアクリーナの斜視図である。
【図５】図１に示す自動二輪車に設けられたエアクリーナを、車両右側面から見た側面図である。
【図６】図１に示す自動二輪車に設けられたエアクリーナを、車両下側から見た底面図である。
【図７】図１に示す自動二輪車に設けられたエアクリーナを、車両後方から見た背面図である。
【発明を実施するための形態】
【００２３】
以下、本発明の一実施形態である鞍乗型車両である自動二輪車について、図１〜図７を参照にして詳細に説明する。なお、図面は符号の向きに見るものとし、図中には自動二輪車の走行方向に対する向きを示し、その表示としては、Ｆｒは前方を、Ｒｒは後方を、Ｕｐは上方を、Ｄｗは下方を、Ｌは左側を、Ｒは右側を示すものとする。
【００２４】
本実施形態の自動二輪車１は、図１〜図３に示すように、車体フレームＦを骨格として各構成部品が取り付けられた構造である。すなわち、車体フレームＦは、車両前端部にヘッドパイプ５０が設けられ、このヘッドパイプ５０から例えば左右に分かれて後方下がりに傾斜しつつ後方へ伸びる左右一対のメインフレーム５１，５１を備え、更に、このメインフレーム５１，５１の下側で車体下方かつ後方に延びるダウンチューブ５２，５２、メインフレーム５１，５１の後端部から車両後方へ向かって斜め上方に延びるシートレール５３，５３が設けられている。そして、このメインフレーム５１，５１とダウンチューブ５２，５２の間にエンジンＥが搭載されている。
【００２５】
また、ヘッドパイプ５０には、前輪Ｗｆを支持するフロントフォーク６０が操向可能に支持され、フロントフォーク６０の上部には操向ハンドル４７が連結されている。また、後輪Ｗｒは、エンジン後方の車体フレームＦに揺動自在に取り付けられたスイングアーム５８に回転可能に保持されている。そして、エンジンＥの駆動力は、チェーン５９を介してスプロケット（図示せず）に伝達されて駆動される。
【００２６】
また、本実施形態の自動二輪車１は、その車両前部１ｆに、ヘッドパイプ５０ならびにその前方のヘッドライト４１等が設けられ、ヘッドライト４１の後方部から燃料タンク６１の前部付近までがカウル部材４０により適宜覆われている。詳細には、カウル部材４０は、図１に示すように、操向ハンドル４７の下方側において、燃料タンク６１の前方側および左右両側からヘッドライト４１の後方部ならびにシリンダ部Ｅｓの上部側方側を覆う構造となっている。
【００２７】
また、メインフレーム５１，５１の上方には、燃料タンク６１が保持され、シートレール５３，５３には、燃料タンク６１の後方の運転者用シート６５ａおよびパッセンジャー用シート６５ｂを有する乗車シート６５が設けられている。また、本実施形態のエンジンＥは、例えば、排気量が１０００ｃｃ程度の２気筒エンジンであり、エンジンＥから車両後方に延びる排気管２０ａと、排気管２０ａの後端側に接続されて、シートレール５３に略沿うように後方かつ上方に向かって延びるマフラー２０と、を備えている。
【００２８】
本実施形態の自動二輪車１においては、エアクリーナ１０は、図２および図３に示すように、車両前部１ｆに設けられたヘッドパイプ５０ならびにフロントフォーク６０に接近して配置されており、一部が燃料タンク６１の下側になっている。また、メインフレーム５１，５１の間に位置する内側部１１とその左右両側の外側部１２，１２との三つの空間を形成する構造であり、この内側部１１と外側部１２，１２とは、その内部空間がメインフレーム５１，５１を跨ぐように形成された跨ぎ連結部１０ｂ，１０ｂを介して繋げられている。
【００２９】
このように、エアクリーナ１０において、その一部がメインフレーム５１，５１の外側に配置された構造である。これは、メインフレーム５１，５１間のみに配置するエアクリーナ構造では容量確保が難しいが、メインフレーム５１，５１の外側にも容量確保可能構造とすることで、車体構造上の制約が少なくエアクリーナ容量を容易に大きくすることができる。さらに、エアクリーナ１０の殆どの部位が燃料タンク６１の前方側に配置されている構造によって、燃料タンク形状への制約が少なく且つ燃料タンク設置空間が確保し易い。したがって、エアクリーナ１０の容量確保と燃料タンク６１の容量確保とが同時に達成できる。
【００３０】
また、燃料タンク容量を確保するために燃料タンク６１を車両左右方向に大きくしなくても良いことから、燃料タンク６１の車両左右方向のスリム化に寄与できる。これは、運転者用シート６５ａが燃料タンク６１の後部に連続して設けられていることからも分かるように、運転者がニーグリップし易い構造とすることができて、運転者の搭乗姿勢の良化に寄与することができる。
【００３１】
本実施形態におけるエアクリーナ１０は、図６に示すように、車両幅方向に中央部分に位置する内側部１１が、車両前方側にむかって若干尖った舳先のように形成された三角形状底部１１ｃおよびその後方側の台形状底部１１ｄからなる内側部底部１１ｂと、この内側部底部１１ｂを上方側から閉じる内側部蓋部１１ａ（図４および図５参照）とによって形成されている。そして、この内側部１１は、例えば、内側部底部１１ｂと内側部蓋部１１ａとの組み合わせ面部１１ａｂを境にして開閉可能な構造とすることができる。
内側部１１の三角形状底部１１ｃは、両メインフレーム５１，５１間でヘッドパイプ５０に接近した平面視で略三角形の空間Ｔｓ内（図６参照）に丁度嵌るように対応することができる。
【００３２】
一方、エアクリーナ１０の外側部１２，１２は、両メインフレーム５１，５１の車両左右外側に位置し、車両側方から見て図５に示すように、外観が扁平の略五角形の左右同じ形状である。そして、この外側部１２，１２と内側部１１とは、両メインフレーム５１，５１の上側に位置する跨ぎ連結部１０ｂ，１０ｂにより繋がった空間が形成されている。また、両外側部１２，１２は、内側部１１よりも全体的に車両前方寄りに位置しており、外側部１２，１２の最下端部１２ｄ，１２ｄが、内側部底部１１ｂよりも車両下方側に位置している。また、最先端部１２ｆ，１２ｆが、内側部１１の最先端部１１ｆよりも車両前方側に位置する構造となっている。
【００３３】
このように、エアクリーナ１０の外側部１２，１２が内側部１１よりも車両前方側に張り出す構造を有していることで、車両前部１ｆの両サイド空間を効果的に利用しエアクリーナ１０の容積を大きくすることができる。このような構造によれば、燃料タンク６１の容量確保が容易になり、この結果、燃料タンク形状の左右幅を小さくできるなど、運転者の搭乗時の姿勢の良化に寄与できる。
【００３４】
本実施形態においては、図３に示すように、両外側部１２，１２は、車両外側の外側壁部１２Ｒａ，１２Ｌａと車両内側の内側壁部１２Ｒｂ，１２Ｌｂとがそれぞれの組み合わせ面部１２Ｒａｂ，１２Ｌａｂにて組み合わせて組み立てられた構造となっている。
【００３５】
本実施形態のエアクリーナ１０は、図３および図４に示すように、その前端部１０ｆが平面視で略３字形状とも言えるような形状に形成されている。すなわち、両外側部１２，１２の前方内側壁１２ｆｉ、内側部１１の前端壁１１ｆｉおよび跨ぎ連結部１０ｂ，１０ｂの前端壁１０ｂｆｉ，１０ｂｆｉが連続して湾曲した壁面形状であり、車両上面視で、車両後方へ向かって円弧状に窪む凹部１０ｆｅ，１０ｆｅが車両左右方向に並んで一対形成されている。そして、エアクリーナ１０は、この凹部１０ｆｅ，１０ｆｅが前輪Ｗｆを保持するフロントフォーク６０に対面するように配置されている。
【００３６】
このように、エアクリーナ１０の前端部１０ｆに、車両上面視で、車両後方に向かって窪む左右一対の凹部１０ｆｅ，１０ｆｅが形成されていることにより、この凹部１０ｆｅ，１０ｆｅがフロントフォーク６０に対面してエアクリーナ１０全体がフロントフォーク６０に接近して、車両前部寄りに配置することができる。この結果、エアクリーナ１０の容量確保ができると共にエアクリーナ後方側に配置される燃料タンク６１の容量確保に寄与することができる。したがって、燃料タンク６１は、その容量が大きく設定されても車両左右方向に大きく張り出すような構造とせずに、さらにスリム化し易くなっている。
【００３７】
更に、外側部１２，１２の一方、本実施形態においては右側の外側部１２の中には、エアクリーナエレメント１５が配置されている。すなわち、右側の外側部１２は、エアクリーナエレメント１５が装着されることにより、その内部がダーティー室とクリーン室とに区画される構造となっている。そして、車両外側に位置する外側壁部１２Ｒａには、外部の空気を取り込む吸気口１４ａを有する吸気部１４がダーティー室に繋げられて設けられている。
【００３８】
このように本実施形態においては、メインフレーム５１の外側に配置された外側部１２にエアクリーナエレメント１５が設けられたことにより、エアクリーナエレメント１５へのアクセスが容易になる。この結果、エアクリーナエレメント１５の交換やメンテナンス作業がし易い。また、外側部１２の車両外側の外側壁部１２Ｒａに、吸気口１４ａが設けられたことで、吸気口１４ａの配置による周辺部品への構造的影響を少なくできる。
【００３９】
また、本実施形態における吸気部１４は、図６および図７に示すように、外側壁部１２Ｒａから車両外側に若干張り出しながら下方に向かって延びている。また、吸気口１４ａは、下方に向いて開口しており、さらに若干前方に向かって斜めに開口している。
【００４０】
このように本実施形態においては、吸気口１４ａは、車両下方に向いていることで、雨水等の浸入を防止することができ、かつ前方に向かって開口していることで、走行風を吸気口１４ａに取り込み易くできる。
【００４１】
また、エアクリーナ１０を内蔵する右側の外側部１２においては、その外側壁部１２Ｒａが開閉可能な構造となっている。ここでいう開閉可能な構造とは、例えば、外側壁部１２Ｒａの取付け構造については、特に限定するものではないが、例えば、外側壁部１２Ｒａが組み合わせ面部１２Ｒａｂにおいて、適宜係止爪を備え、取り外し自在な構造（着脱自在構造）でも良く、また、組み合わせ面部１２Ｒａｂやその近傍に適宜構造の開閉ヒンジを有して扉のごとく開閉する構造でもよい。
【００４２】
このように、エアクリーナエレメント１５を内蔵する外側部１２において、車両幅方向の外側壁部１２Ｒａが解放可能に形成されていることによって、エアクリーナエレメント１５へのアクセスが容易にとなり、エアクリーナエレメント１５の交換やメンテナンス作業が容易にできる。
【００４３】
本実施形態においては、前掲のごとく、外側部１２,１２の上方側および側方側を覆うカウル部材４０が設けられていることで、エアクリーナ１０は保護されているとともに外部から見えないようになっている。しかし、エアクリーナエレメント１５を内蔵する外側部１２の外側壁部１２Ｒａを覆う部分は、部分的に開閉可能なカウル側部４０ａとして形成されている。ここで、図１に示すように、車両右側におけるカウル側部４０ａは、燃料タンク６１の前端部に接する縁部から外側壁部１２Ｒａを含む範囲の大きさに形成されている。本実施形態においては、車両左側には、カウル側部４０ａのごとき開閉構造は設けられていない。
なお、カウル側部４０ａの開閉構造については、特に限定するものではないが、例えば、カウル側部４０ａを外す構造（着脱構造）であるか、或いは適宜ヒンジを備えた開閉構造とすることができる。
【００４４】
このように、カウル部材４０において、エアクリーナエレメント１５が装着された位置に対応してカウル側部４０ａが開放可能な構造を有していることは、例えば、カウル部材４０の全面的な取り外しや、燃料タンク６１の取り外しという面倒な作業をなくしても、エアクリーナエレメント１５にアクセス可能となり、エアクリーナエレメント１５の交換やメンテナンス作業が極めて容易に行うことができる。
【００４５】
また、本実施形態においては、エアクリーナ１０からスロットルボディ３０に吸気を送り込む２本の吸気管１６，１６が設けられている。この吸気管１６，１６は、内側部１１の内側部底部１１ｂの後端壁１１ｂｂ（図７参照）に接続されており、下側の下端部１６ａ，１６ａがスロットルボディ３０に接続され、上側の先端部分が、内側部１１の内方側まで長く挿入された内部挿入管部１６ｆ，１６ｆ（図４参照）を備えている。
【００４６】
このように、吸気管１６，１６が内側部１１の内方に挿入された内部挿入管部１６ｆ，１６ｆを有することで、内側部１１の空間を利用して吸気管１６，１６を長く形成できるので、エンジンの低速トルクを向上させることができる。
【００４７】
以上、本発明を適用した一実施形態について説明したが、本発明はこれに限るものではなく、例えば、前掲の実施形態においては、外側部１２，１２がメインフレーム５１，５１の左右両方に設ける構造としたが、左右の何れか一方のみの構造であってもよい。更に、内側部１１と外側部１２とを繋ぐ構造については、前掲のごとくメインフレーム５１の上を通る跨ぎ連結部１０ｂでなく、メインフレーム５１の下側を通る繋ぎ構造やメインフレーム５１の上下両側を通るようにした構造であってもよい。また、前掲の実施形態においては、窪む凹部１０ｆｅが車両上面視で円弧状に形成されたが、必ずしも円弧形状でなくてもよい。
また、前掲の実施形態においては、エアクリーナエレメント１５を片方の外側部１２に設けたが、左右両方の外側部１２，１２に設けるようにしてもよい。エアクリーナ１０の内側部１１および外側部１２，１２の形状については、種々変更することができる。また、外側部１２，１２の左右の形状や大きさは、同じでなく必要に応じて適宜変更することができる。
また、前掲の実施形態においては、エンジンＥが２気筒タイプであったが、本発明はこれに限定されるものではなく、単気筒でも４気筒等でも何れでもよいが、特に、排気量の大きいエンジンに好適である。
また、前掲の実施形態においては、自動二輪車について説明したが、本発明は、これに限るものではなく、三輪、四輪に限らず他の鞍乗型車両に適用できるものである。
【符号の説明】
【００４８】
１        自動二輪車（鞍乗型車両）
１ｆ      車両前部
１０      エアクリーナ
１０ｂ    跨ぎ連結部
１０ｆ    エアクリーナの前端部
１０ｆｅ  凹部
１１      内側部
１２      外側部
１２ｆ    最先端部
１２Ｒａ  壁面
１４ａ    吸気口
１５      エアクリーナエレメント
１６      吸気管
１６ｆ    内部挿入管部
３０      スロットルボディ
４０      カウル部材
４０ａ    カウル側部
５０      ヘッドパイプ
５１      メインフレーム
６０      フロントフォーク
６１      燃料タンク
Ｅ      エンジン
【図１】
2014097694.tif 000003
【図２】
2014097694.tif 000004
【図３】
2014097694.tif 000005
【図４】
2014097694.tif 000006
【図５】
2014097694.tif 000007
【図６】
2014097694.tif 000008
【図７】
2014097694.tif 000009